(57)【要約】      （修正有）【課題】防災設備の受信機に放送設備の機能を組み込むことにより、設定スペースの低減、火災発生時の重複表示の回避及び火災対処と放送の操作性を向上する。【解決手段】防災設備において、受信機１０から施設内に引き出された信号回線１２−１、１２−２に接続されたアナログ火災感知器１４により火災を監視する。受信機の受信制御部６２は、アナログ火災感知器からの火災発報信号を受信した火災発生時に火災警報処理を行う。受信機には非常放送制御部６４が設けられ、火災発生時に、施設内に引き出された放送回線２６−１〜２６−ｎに接続されたスピーカ２８から、火災警報と避難誘導のための放送を行う。受信機は、タッチパネル付きのディスプレイ４２を備え、火災発生時にディスプレイの一部に火災発生と火災発生場所を示す火災警報画面を表示し、火災警報画面の空き部分に、放送画面を表示し、放送に必要な画面操作を行う。【選択図】図１
2020135692.tif 000002
【特許請求の範囲】
【請求項１】
火災感知器と受信機を備える防災設備に於いて、
前記受信機に、
前記火災感知器から受信した所定の火災情報信号に基づき火災の発生に係る所定の判定をしたときに所定の火災警報処理を行う受信制御部と、
前記火災の発生に係る所定の判定をしたときに、放送用の報知装置から少なくとも音による火災報知及び所定の補助放送の少なくともいずれか一方を行う放送制御部と、
が設けられたことを特徴とする防災設備。
【請求項２】
請求項１記載の防災設備において、
前記受信機は、ディスプレイを備え、
前記受信制御部は、前記火災の発生に係る所定の判定をしたときに、前記ディスプレイの一部に火災発生と火災発生場所を示す火災警報画面を表示し、
前記放送制御部は、前記火災の発生に係る所定の判定をしたときに、前記ディスプレイに表示された前記火災警報画面と共に、前記放送に必要な操作を行う放送画面を表示することを特徴とする防災設備。
【請求項３】
請求項２記載の防災設備において、
前記放送用画面には、
前記火災の発生に係る所定の判定をしたときに、前記放送を出力する地区を選択する放送地区選択部と、
所定の放送を指示する放送指示スイッチと、
全ての地区に対する前記放送を指示する一斉放送スイッチと、
が設けられ、
前記放送制御部は、
前記放送指示スイッチの操作を受付けたときに、前記放送地区選択部により選択された地区に前記放送を行い、
前記一斉放送スイッチの操作を受付けたときに全ての地区に前記放送を行う、
ことを特徴とする防災設備。
【請求項４】
請求項３記載の防災設備において、
前記放送地区選択部は、前記放送操作画面に地区名と選択スイッチの組を一覧表示し、前記放送制御部は、前記選択スイッチの操作を検出して放送地区を選択することを特徴とする防災設備。
【請求項５】
請求項４記載の防災設備において、
前記放送地区選択部は、前記地区名と前記選択スイッチの組に、出火地区表示灯と放送地区表示灯を加えて一覧表示し、
前記放送制御部は、前記火災の発生に係る所定の判定をしたときに、該当する前記出火地区表示灯を作動し、前記選択スイッチの操作時に該当する前記放送地区表示灯を作動することを特徴とする防災設備。
【請求項６】
請求項３記載の防災設備において、
前記放送地区選択部は、前記放送操作画面に放送地区に分けられた建物立体図を表示し、前記放送制御部は、前記建物立体図の操作した位置を検出して放送地区を選択することを特徴とする防災設備。
【請求項７】
請求項３記載の防災設備において、前記放送制御部は、前記放送画面に前記放送の放送内容を表示することを特徴とする防災設備。
【請求項８】
請求項３記載の防災設備において、前記放送制御部は、前記放送を外国語放送とした場合、前記放送画面に前記外国語放送の放送内容を原文で表示すると共に前記外国語放送の訳文を表示することを特徴とする防災設備。
【請求項９】
請求項３記載の防災設備において、前記放送制御部は、前記放送画面の操作部により所定の地区の火災発生に対応して系列的に前記放送を行う地区を設定した放送シナリオを生成して記憶し、前記所定の地区で火災が発生したときに前記放送シナリオを前記放送画面に表示することを特徴とする防災設備。
【請求項１０】
請求項３記載の防災設備において、前記放送制御部は、前記放送画面の操作部によりアナウンス原稿と原稿表示条件を生成して記憶し、前記原稿表示条件が成立したときに前記アナウンス原稿を前記放送画面に表示することを特徴とする防災設備。
【請求項１１】
請求項３記載の防災設備において、前記放送制御部は、前記放送画面の操作部によりアナウンスマイクを用いたアナウンス放送の繰り返しを設定した場合、前記アナウンスマイクを用いたアナウンス放送を記憶した後に繰り返し放送することを特徴とする防災設備。
【請求項１２】
請求項３記載の防災設備において、前記放送制御部は、前記放送画面の操作部によりアナウンスマイクを用いたアナウンス放送と地区音響警報の繰り返しを設定した場合、前記アナウンスマイクを用いたアナウンス放送を記憶した後に、前記地区音響警報を挟んで前記アナウンス放送を繰り返すことを特徴とする防災設備。
【発明の詳細な説明】
【技術分野】
【０００１】
本発明は、受信機から引き出された信号回線に火災感知器を接続して火災を監視する防災設備に関する。
【背景技術】
【０００２】
従来、受信機から引き出された信号回線に火災感知器を接続して火災を監視する火災報知設備等の防災設備が知られている。また、従来の非常放送設備は、防災設備と連動し、火災が発生した場合に、火災の発生を知らせ、避難誘導放送を行う。
【０００３】
防災設備に設けた火災受信機は、警戒区域の火災を検知して発報した火災感知器からの発報信号を受信した場合に火災警報を出力すると共に、発報区域を示す発報区域識別信号としての階別信号を非常放送装置に送信し、これを受信した非常放送装置は火災発生階及び直上階に設置しているスピーカから感知器発報放送として「ただいま○○階の火災報知器が作動しました。確認しておりますので、次の放送にご注意ください。」を出力する。
【０００４】
この感知器発報に対し所定の時間が経過した場合、または防災センターの係員等が現場に出向いて火災を確認した場合には、例えば発信機の押しスイッチ操作等の火災確認操作に基づき火災受信機から火災確認信号を非常放送装置へ送信し、それまでの感知器発報放送から火災放送に切替え、「火事です。火事です。○○階の火災が発生しました。落ち着いて避難してください。」を出力する。また火災放送から所定の設定時間が経過すると、非常放送装置は全館一斉放送に切替える。
【０００５】
一方、現場に出向いて非火災を確認した場合には、非常放送装置に設けた非火災放送スイッチの操作により、それまでの発報放送から非火災放送に切替え、「さきほどの火災感知器の作動は、確認の結果、異常がありませんでした。ご安心下さい。」を出力する。
【先行技術文献】
【特許文献】
【０００６】
【特許文献１】特開平５−２３３９８４号公報
【特許文献２】特開平６−３１４３８５号公報
【特許文献３】特開２００７−２１９８７０号公報
【特許文献４】特開２０１７−１９１４１８号公報
【発明の概要】
【発明が解決しようとする課題】
【０００７】
しかしながら、このような従来の防災設備と非常放送設備にあっては、受信機と非常放送盤を別々に設置していることから設置スペースが増加し、火災表示や出火階表示等の表示内容が重複するが、設備毎に表示するために設備構成が複雑となり、また、防災担当者等は受信機と非常放送盤をそれぞれ操作しなければならず、火災発生という緊急時の操作や対処に手間と時間がかる場合がある。
【０００８】
本発明は、防災設備の受信機に非常放送設備の機能を組み込むことにより、設定スペースの低減、火災発生時の重複表示の回避、及び火災対処と非常放送の操作性を向上する防災設備を提供することを目的とする。
【課題を解決するための手段】
【０００９】
（防災設備）
本発明は、火災感知器と受信機を備える防災設備に於いて、
受信機に、
火災感知器から受信した所定の火災情報信号に基づき火災の発生に係る所定の判定をしたときに所定の火災警報処理を行う受信制御部と、
火災の発生に係る所定の判定をしたときに、放送用の報知装置から少なくとも音による火災報知及び所定の補助放送の少なくともいずれか一方を行う放送制御部と、
が設けられたことを特徴とする。
【００１０】
（火災警報画面と放送操作画面）
前記受信機は、ディスプレイを備え、前記受信制御部は、前記火災の発生に係る所定の判定をしたときに、前記ディスプレイの一部に火災発生と火災発生場所を示す火災警報画面を表示し、前記放送制御部は、前記火災の発生に係る所定の判定をしたときに、前記ディスプレイに表示された前記火災警報画面と共に、前記放送に必要な操作を行う放送画面を表示する。
【００１１】
（放送地区の選択と一斉放送）
放送画面には、
火災の発生に係る所定の判定をしたときに、放送を出力する地区を選択する放送地区選択部と、
所定の放送を指示する放送指示スイッチと、
全ての地区に対する放送を指示する一斉放送スイッチと、
が設けられ、
放送制御部は、
放送指示スイッチの操作を受付けたときに、放送地区選択部により選択された地区に放送を行い、
一斉放送スイッチの操作を受付けたときに全ての地区に放送を行う。
【００１２】
（一覧表示による放送地区選択部）
放送地区選択部は、放送画面に地区名と選択スイッチの組を一覧表示し、放送制御部は、選択スイッチの操作を検出して放送地区を選択する。
【００１３】
（出火地区表示灯と放送地区表示灯）
放送地区選択部は、地区名と選択スイッチの組に、出火地区表示灯と放送地区表示灯を加えて一覧表示し、
放送制御部は、火災発生時に該当する出火地区表示灯を作動し、選択スイッチの操作時に該当する放送地区表示灯を作動する。
【００１４】
（建物立体図による放送地区選択）
放送地区選択部は、放送画面に放送地区に分けられた建物立体図を表示し、放送制御部は、建物立体図の操作した位置を検出して放送地区を選択する。
【００１５】
（放送内容の表示）
放送制御部は、放送画面に放送の放送内容を表示する。
【００１６】
（外国語放送内容の原文と訳文の表示）
放送制御部は、放送を外国語放送とした場合、放送画面に外国語放送の放送内容を原文で表示すると共に外国語放送の訳文を表示する。
【００１７】
（放送シナリオの作成）
放送制御部は、放送画面の操作部により所定の地区の火災発生に対応して系列的に放送を行う地区を設定した放送シナリオを生成して記憶し、所定の地区で火災が発生したときに放送シナリオを放送画面に表示する。
【００１８】
（アナウンス原稿の作成）
放送制御部は、放送画面の操作部によりアナウンス原稿と原稿表示条件を生成して記憶し、原稿表示条件が成立したときにアナウンス原稿を放送画面に表示する。
【００１９】
（アナウンス放送の繰り返し設定）
放送制御部は、放送画面の操作部によりアナウンスマイクを用いたアナウンス放送の繰り返しを設定した場合、アナウンスマイクを用いたアナウンス放送を記憶した後に繰り返し放送する。
【００２０】
（地区音響警報を挟んだアナウンス放送の繰り返し設定）
放送制御部は、放送画面の操作部によりアナウンスマイクを用いたアナウンス放送と地区音響警報の繰り返しを設定した場合、アナウンスマイクを用いたアナウンス放送を記憶した後に、地区音響警報を挟んでアナウンス放送を繰り返す。
【００２１】
（火災警報画面と放送の盤面操作部）
受信機は、
タッチパネル付きのディスプレイを備え、
受信制御部は、火災発生時にディスプレイに火災発生と火災発生場所を示す火災警報画面を表示し、
受信機盤面に、放送に必要な操作を行う放送操作部が設けられる。
【００２２】
（放送地区の選択と感知器発報放送、火災放送、非火災放送、放送復旧）
受信機盤面の放送操作部には、
火災発生時に放送を出力する地区を選択する放送地区選択部と、
所定の感知器発報放送を指示する感知器放送スイッチと、
所定の火災放送を指示する火災放送スイッチと、
所定の非火災放送を指示する非火災放送スイッチと、
全ての地区に対する前記火災放送を指示する一斉放送スイッチと、
火災放送の復旧停止を指示する火災復旧スイッチと、
が設けられ、
放送制御部は、感知器放送スイッチ、火災放送スイッチ、又は非火災放送スイッチの操作を受付けたときに、放送地区選択部により選択された地区に、感知器発報放送、火災放送、又は非火災放送を行わせ、一斉放送スイッチの操作を受付けたときに全ての地区に前記火災放送を行わせ、火災復旧スイッチの操作を受付けたときに火災放送を復旧停止させる。
【００２３】
（一覧表示による放送地区選択部）
受信機盤面の放送地区選択部は、放送画面に地区名と選択スイッチの組を一覧表示し、放送制御部は、前記選択スイッチの操作を検出して放送地区を選択する。
【００２４】
（出火地区表示灯と放送地区表示灯）
受信機盤面の放送地区選択部は、地区名と選択スイッチの組に、出火地区表示灯と放送地区表示灯を加えて一覧表示し、
放送制御部は、火災発生時に該当する出火地区表示灯を作動し、選択スイッチの操作時に該当する放送地区表示灯を作動する。
【発明の効果】
【００２５】
（基本的な効果）
本発明は、火災感知器と受信機を備える防災設備に於いて、受信機に、火災感知器から受信した所定の火災情報信号に基づき火災の発生に係る所定の判定をしたときに所定の火災警報処理を行う受信制御部と、火災の発生に係る所定の判定をしたときに、放送用の報知装置から少なくとも音による火災報知及び所定の補助放送の少なくともいずれか一方を行う放送制御部と、が設けられたため、放送のうち特に非常放送について、専用の非常放送盤を別に設置する必要がないことから防災設備と非常放送設備の設置スペースが低減し、非常放送設備の操作に必要な火災表示や出火階表示等は受信機の表示をそのまま利用することで重複した表示が不要となり、また、防災担当者等は受信機で非常放送の操作ができることから、火災発生という緊急時の火災対処と連携した非常放送の操作や対処を迅速且つ適切に行うことができ、高い操作性が確保される。
【００２６】
（火災警報画面と放送画面の効果）
また、前記受信機は、ディスプレイを備え、前記受信制御部は、火災の発生に係る所定の判定をしたときに、ディスプレイの一部に火災発生と火災発生場所を示す火災警報画面を表示し、放送制御部は、火災の発生に係る所定の判定をしたときに、ディスプレイに表示された火災警報画面と共に、放送に必要な操作を行う放送画面を表示するようにしたため、火災発生時に、火災発生と火災発生地区等の火災情報と放送の操作部が１画面に例えば上下に分けて表示され、非常放送を行う地区を設定して放送を起動する等の操作を行い易くできる。
【００２７】
（放送地区の選択と一斉放送の効果）
また、放送画面には、火災の発生に係る所定の判定をしたときに、放送を出力する地区を選択する放送地区選択部と、所定の放送を指示する放送指示スイッチと、全ての地区に対する放送を指示する一斉放送スイッチとが設けられ、放送制御部は、放送指示スイッチの操作を受付けたときに、放送地区選択部により選択された地区に放送を行い、一斉放送スイッチの操作を受付けたときに全ての地区に放送を行うようにしたため、従来、非常放送盤の盤面に配置されたスイッチで行っていた非常放送の操作を、受信機に設けられたディスプレイの画面上で行うことができ、また、非常放送の操作に必要なスイッチ類をスイッチ名称と合わせて画面表示できることで、高い操作性が得られる。
【００２８】
（一覧表示による放送地区選択部の効果）
また、放送地区選択部は、放送画面に地区名と選択スイッチの組を一覧表示し、放送制御部は、選択スイッチの操作を検出して放送地区を選択するようにしたため、受信機のディスプレイ上に非常放送の対象となる地区名と選択スイッチの組を一覧表示することで、火災警報画面に表示された火災発生階とその直上階を放送地区として選択する操作を簡単且つ確実に行うことができる。
【００２９】
（出火地区表示灯と放送地区表示灯の効果）
また、放送地区選択部は、地区名と選択スイッチの組に、出火地区表示灯と放送地区表示灯を加えて一覧表示し、放送制御部は、火災発生時に該当する出火地区表示灯を作動し、選択スイッチの操作時に該当する放送地区表示灯を作動するようにしたため、点灯した火災出火地区表示灯の組に属する選択スイッチの操作で火災発生階を放送地区とし、また、隣接する直上階の選択スイッチを操作することで、火災発生階の直上階を放送地区に簡単且つ確実に選択でき、更に、非常放送中は放送地区に選択した組の放送地区表示灯
が点灯することで、放送中の階を簡単に見分けて確認することができる。
【００３０】
（建物立体図による放送地区選択の効果）
また、放送地区選択部は、放送画面に放送地区に分けられた建物立体図を表示し、放送制御部は、建物立体図の操作した位置を検出して放送地区を選択するようにしたため、受信機のディスプレイに例えば建物各階のフロアマップを立体表示させ、フロアマップの中の火災発生階及びその直上階を操作することで、簡単且つ確実に、非常放送を行うべき地区を選択することができる。
【００３１】
（放送内容の表示による効果）
また、放送制御部は、放送画面に放送の放送内容を表示するようにしたため、現在行われている非常放送の内容をディスプレイ上の表示により簡単に確認することができる。
【００３２】
（外国誤放送内容の原文と訳文の表示による効果）
また、放送制御部は、放送を外国語放送とした場合、放送画面に外国語放送の放送内容を原文で表示すると共に外国語放送の訳文を表示するようにしたため、外国語で非常放送が行われているときに、外国語放送の原文と訳文がディスプレイ上に表示されることで、どのような内容の非常放送が行われているかを簡単且つ容易に確認できる。
【００３３】
（放送シナリオの作成による効果）
また、放送制御部は放送画面の操作部により所定の地区の火災発生に対応して系列的に放送を行う地区を設定した放送シナリオを生成して記憶し、所定の地区で火災が発生したときに放送シナリオを放送画面に表示するようにしたため、火災発生時に、火災発生地区に対応して予め準備された放送シナリオが受信機のディスプレイ上に画面表示され、表示された放送シナリオに従って火災発生地区及び建物の構造や状況に合わせた近隣地区を対象に、適切な順番に確実に放送を行うことができる。
【００３４】
（アナウンス原稿の作成による効果）
また、放送制御部は、放送画面の操作部によりアナウンス原稿と原稿表示条件を生成して記憶し、原稿表示条件が成立したときにアナウンス原稿を放送画面に表示するようにしたため、防災管理者等が火災状況を見ながらアナウンスマイクを使用して避難誘導等のアナウンス放送を行う場合に、予め準備されたアナウンス原稿が受信機のディスプレイに表示され、火災発生という緊迫した状況であっても、表示されたアナウンス原稿に従って適切なアナウンス放送を行うことを可能とする。
【００３５】
（アナウンス放送の繰り返し設定の効果）
また、非常放送制御部は、放送画面の操作部によりアナウンスマイクを用いたアナウンス放送の繰り返しを設定した場合、アナウンスマイクを用いたアナウンス放送を記憶した後に繰り返し放送したため、防災管理者等が１回アナウンス放送を行うと、繰り返しの設定により、自動的に一度を行ったアナウンス放送を繰り返り返すことで、アナウンス放送の内容が確実に行きわたり、またアナウンス放送を行う防災管理者等の負担が軽減できる。
【００３６】
（地区音響警報を挟んだアナウンス放送の繰り返し設定の効果）
また、非常放送制御部は、放送画面の操作部によりアナウンスマイクを用いたアナウンス放送と地区音響警報の繰り返しを設定した場合、アナウンスマイクを用いたアナウンス放送を記憶した後に、地区音響警報を挟んでアナウンス放送を繰り返すようにしたため、必要に応じ、地区音響警報を挟んでアナウンス放送が繰り返し行われ、防災設備の警報と非常放送設備のアナウンス放送を組み合わせて火災発生の報知と避難誘導等を効率良く行うことができる。
【００３７】
（火災警報画面と放送の盤面操作部による効果）
また、受信機は、タッチパネル付きのディスプレイを備え、受信制御部は、火災発生時にディスプレイに火災発生と火災発生場所を示す火災警報画面を表示し、受信機盤面に、放送に必要な操作を行う放送操作部が設けられたため、防災設備の表示と操作はディスプレイの画面表示と画面操作で行い、放送設備の表示と操作は、受信機盤面のハードスイッチと表示灯で行うことで、受信機のディスプレイによる火災発生時の火災表示と画面操作を変更することなく、受信機盤面に設けたハードスイッチによる放送の操作を行うことかできる。
【図面の簡単な説明】
【００３８】
【図１】受信機に非常放送設備の機能が設けられた本発明によるＲ型の防災設備の概要を示した説明図
【図２】受信機の外観を正面から示した説明図
【図３】通常監視画面を示した説明図
【図４】感知器発報放送の設定画面を示した説明図
【図５】感知器発報直後の火災監視画面と非常放送の感知器発報放送表示画面を示した説明図
【図６】火災発生時の火災監視画面と非常放送画面を示した説明図
【図７】一覧構成による放送階選択画面を示した説明図
【図８】建物立体図による放送階選択画面示した説明図
【図９】放送内容を表示する非常放送画面を示した説明図
【図１０】外国語非常放送の放送内容を表示する非常放送画面を示した説明図
【図１１】非常用アナウンス放送の原稿を作成して設定する非常放送画面を示した説明図
【図１２】非常放送シナリオを作成して設定する非常放送画面を示した説明図
【図１３】非常用アナウンスの繰り返しを設定する非常放送画面を示した説明図
【発明を実施するための形態】
【００３９】
［防災設備］
図１は受信機に非常放送設備の機能が設けられた本発明によるＲ型の防災設備の概要を示した説明図である。
【００４０】
（実施形態の基本的概念）
本実施形態による防災設備は、受信機１０から引き出された信号回線１２−１，１２−２に接続されたアナログ火災感知器１４により火災を監視する防災設備に於いて、受信機１０に、アナログ火災感知器１４からの火災発報信号を受信した火災発生時に所定の火災警報処理を行う受信制御部６２と、火災発生時に、施設内に引き出された放送信号線２６−１〜２６−ｎに接続されたスピーカ２８から火災警報と所定の補助放送として機能する避難誘導のための非常放送を行う、放送制御部として機能する非常放送制御部６４とが設けられたものであり、専用の非常放送盤を別に設置する必要がないことから防災設備と非常放送設備の設置スペースが低減し、非常放送設備の操作に必要な火災表示や出火階表示等は受信機１０のディスプレイ４２による表示をそのまま利用することで重複した表示が不要となり、また、防災担当者等は受信機１０で非常放送の操作ができることから、火災発生という緊急時の火災対処と連携した非常放送の操作や対処を迅速且つ適切に行うことができ、高い操作性が確保されることになる。
【００４１】
特に、受信機１０は、タッチパネル付きのディスプレイ４２を備えており、受信制御部６２は、火災発生時にディスプレイ４２の一部に火災発生と火災発生場所を示す火災警報画面を表示し、非常放送制御部６４は、火災発生時にディスプレイ４２に表示された火災警報画面の空き部分に、非常放送に必要な操作を行う非常放送画面を表示するものであり、火災発生時に、火災発生と火災発生地区等の火災情報と非常放送の操作部がディスプレイ４２の画面を例えば上下に分けて表示され、火災発生地区を確認して非常放送を行う地区を設定して放送を行う等の操作を行い易くできる。以下、具体的に説明する。
【００４２】
（防災設備の概要）
図１に示すように、防災設備が設置された建物の一階の管理人室などには例えばＲ型の受信機１０が設置され、受信機１０から警戒区域に対し例えば階別の系統毎に分けて信号回線１２−１〜１２−３が引き出されている。なお、以下の説明では、信号回線１２−１〜１２−３を区別する必要がない場合は、信号回線１２という場合がある。
【００４３】
信号回線１２−１には固有のアドレスが設定された伝送機能を有する複数のアナログ火災感知器１４が接続され、また、固有のアドレスが設定された伝送機能を有する中継器１６から引き出された感知器回線１７にオンオフ火災感知器１８及び発信機２０が接続されている。
【００４４】
信号回線１２−２には複数のアナログ火災感知器１４の接続に加え、固有のアドレスが設定された伝送機能を有するアドレッサブル発信機２２が接続されている。更に、信号回線１２−３には固有のアドレスが設定された伝送機能を有する中継器１６を介して防排煙機器２４が接続されている。
【００４５】
ここで、信号回線１２−１〜１２−３に接続されるアナログ火災感知器１４、中継器１６等の端末機器に設定される最大アドレス数は例えば２５５としており、信号回線１２には最大２５５台のアナログ火災感知器１４を含む端末機器が接続できる。
【００４６】
また、受信機１０からは警戒区域に対し例えば階別の系統毎に分けて放送回線２６−１〜２６−ｎが引き出されており、放送回線２６−１〜２６−ｎには放送用のスピーカ２８が接続されている。
【００４７】
（受信機の機能構成）
受信機１０には、メインＣＰＵ３０と複数のサブＣＰＵ基板３２−１〜３２−３が設けられ、サブＣＰＵ基板３２−１〜３２−３にはサブＣＰＵ３４−１〜３４−３と伝送部３６−１〜３６−３が設けられている。
【００４８】
メインＣＰＵ３０とサブＣＰＵ３４−１〜３４−３は、シリアル転送バス４０で接続されており、相互にデータを送受信する。なお、以下の説明では、サブＣＰＵ３４−１〜３４−３及び伝送部３６−１〜３６−３を区別する必要がない場合はサブＣＰＵ３４及び伝送部３６という場合がある。
【００４９】
メインＣＰＵ３０には、液晶表示パネル等を用いたタッチパネル付きのディスプレイ４２が接続され、ディスプレイ４２には受信機１０による火災監視に必要な情報がそのときの受信機１０の状況に応じて表示される。ディスプレイ４２による火災監視に必要な情報には、通常監視時及び火災時に発生したイベント、運用管理に必要な情報、対処操作に必要な情報等の全ての情報、更に、受信機の保守点検モードでの運用管理や操作に必要な情報も含まれる。
【００５０】
また、ディスプレイ４２には火災発生時に非常放送の運用操作に必要な情報が表示され、画面操作により放送制御や各種の設定を可能としている。
【００５１】
メインＣＰＵ３０に対して表示部として機能するディスプレイ４２に加え、ＬＥＤ等の表示灯を用いた表示部４４が設けられる。表示部４４には火災代表灯、ガス漏れ代表灯等が設けられる。
【００５２】
また、メインＣＰＵ３０に対しては操作部４６が接続され、操作部４６には火災監視に必要な火災断定スイッチ、主音響停止スイッチ、地区音響一時停止スイッチ等の各種スイッチ等が設けられている。更に、メインＣＰＵ３０にはスピーカが設けられた音響警報部４８、及び、移報部５０が接続されている。
【００５３】
メインＣＰＵ３０にはプログラムの実行により機能する受信制御部６２と非常放送制御部６４が設けられる。
【００５４】
更に、受信機１０には、非常放送設備としての機能を実現するため、放送音源部５２、アナウンスマイク５４、非常放送スピーカ５６、放送入力選択部５８、放送選択増幅部６０が設けられるが、その詳細は後の説明で明らかにされる。
【００５５】
（受信機の外観）
図２は受信機の外観を正面から示した説明図である。受信機１０の盤面には、液晶表示パネル等を用いたタッチパネル付きのディスプレイ４２が配置される。ディスプレイ４２はカラー画像を画面表示し、また、タッチパネルが画面に配置されることで、画面タッチ操作による選択や入力を可能としている。なお、ディスプレイ４２は液晶表示パネル以外にＥＬパネル等の適宜の画像表示パネルが使用できる。
【００５６】
ディスプレイ４２の下側で盤面の左右中央となる利用者にとって見やすく且つ操作しやすい位置に、ガイドスイッチ６５が配置されている。ガイドスイッチ６５は照光機能を備えた照光スイッチを使用しており、照光スイッチはＬＥＤ等の表示灯を内蔵している。火災イベントが発生してディスプレイ４２にガイダンス対象となる情報が表示されると、ガイドスイッチ６５の照光機能が有効となって点滅し、利用者にガイドスイッチ６５の操作を促すようにしている。
【００５７】
また、ディスプレイ４２の下側の盤面には、火災断定スイッチ６６、主音響停止スイッチ６８及び地区音響一時停止スイッチ７０が配置され、火災イベントが発生した場合の火災対処操作を可能としている。ガイドスイッチ６５の下側の盤面には小扉７２が下側を軸として前開き自在に設けられており、小扉７２の内側には、復旧スイッチを含む各種の操作スイッチが設けられている。
【００５８】
また、火災断定スイッチ６６の左側には電話マイク７８が配置され、ディスプレイ４２の横に設けられた音響孔７７の内部のスピーカとの組み合わせにより、ハンズフリーによる非常電話機能を実現している。
【００５９】
また、ディスプレイ４２の上側の盤面には火災代表灯７５とガス漏れ代表灯７６が設けられている。更に、受信機１０の盤面の下側にはプリンタ７４が配置され、受信機１０で発生したイベントを印字出力するようにしている。
【００６０】
また、受信機１０に非常放送設備の機能が設けられたことに伴い、小扉７２の下側の盤面に、アナウンスマイク５４が取出し自在に配置されており、火災発生時に防災管理者等がアナウンスマイク５４を使用して、火災警報と避難のためのアナウンス放送ができるようしにしている。アナウンスマイク５４の下側の盤面には音響孔５６ａが設けられ、内部に図１に示した非常放送スピーカ５６が配置されている。
【００６１】
なお、アナウンスマイク５４に代えて電話マイクを放送用に兼用しても良い。また、音響孔５６ａと非常放送スピーカ５６に代えて音響孔７７とその内側に配置した音響警報部４８のスピーカを放送用に兼用しても良い。
【００６２】
（受信機の火災監視制御）
図１に示すように、サブＣＰＵ基板３２−１のサブＣＰＵ３４−１を例にとると、伝送部３６−１に指示してアナログ火災感知器１４との間で所定の通信プロトコルに従って信号を送受信することで、火災監視制御を行っている。伝送部３６−１からアナログ火災感知器１４に対する下り信号は電圧モードで伝送している。この電圧モードの信号は、信号回線１２−１の線路電圧を例えば１８ボルトと３０ボルトの間で変化させる電圧パルスとして伝送される。
【００６３】
これに対しアナログ火災感知器１４から伝送部３６−１に対する上り信号は電流モードで伝送される。この電流モードにあっては、信号回線１２−１に伝送データのビット１のタイミングで信号電流を流し、いわゆる電流パルス列として上り信号が受信機１０に伝送される。
【００６４】
サブＣＰＵ３４−１による火災監視制御は、通常の監視中にあっては、一定周期毎に、伝送部３６−１に指示して、一括ＡＤ変換コマンドを含むブロードキャストの一括ＡＤ変換信号を送信しており、この一括ＡＤ変換信号を受信したアナログ火災感知器１４は、煙濃度又は温度をセンサデータとして検出して保持する。続いて、サブＣＰＵ３４−１は、端末アドレスを順次指定したポーリングコマンドを含む呼出信号を送信している。
【００６５】
アナログ火災感知器１４は自己アドレスに一致するアドレスを持つ呼出信号を受信すると、所定の火災情報信号として機能するそのとき保持しているセンサデータを含む応答信号を伝送部３６−１に送信する。また、アナログ火災感知器１４は煙濃度又は温度が所定の火災注意レベルを超えると受信機１０の伝送部３６−１に対し火災割込み信号を送信する。
【００６６】
サブＣＰＵ３４−１は伝送部３６−１を介して火災割込み信号を受信すると、グループ検索コマンド信号を送信して火災を検出しているアナログ火災感知器１４を含むグループを特定し、続いて、グループ内検索コマンド信号を送信して火災を検出しているアナログ火災感知器１４のアドレスを特定してセンサのアナログデータを集中的に収集し、シリアル転送バス４０を介してメインＣＰＵ３０に送信する。
【００６７】
メインＣＰＵ３０はサブＣＰＵ３４−１から受信したアナログデータを所定の火災判定レベルと比較しており、アナログデータが火災判定レベルに達した場合に火災と判定し、表示部４４の火災代表灯７５を点灯し、音響警報部４８のスピーカから火災発生を示す所定の主音響警報を出力させ、ディスプレイ４２に火災が検出された感知器アドレスに基づき火災発生場所を含む火災警報情報を表示させ、更に、移報部５０により火災移報信号を外部に出力して所定の移報制御等を行わせる。
【００６８】
サブＣＰＵ基板３２−２に設けられたサブＣＰＵ３４−２と伝送部３６−２による火災監視制御も、前述したサブＣＰＵ基板３２−１の場合と同じになる。また、サブＣＰＵ基板３２−３に設けられたサブＣＰＵ３０−３と伝送部３６−３は、メインＣＰＵ３０で火災が検知された場合に予め記憶された連動情報に基づき防排煙機器２４の連動制御を行う。
【００６９】
［非常放送設備］
（受信機の非常放送回路部）
図１の受信機１０のメインＣＰＵ３０に設けられた非常放送制御部６４に対応して受信機１０には、放送音源部５２、アナウンスマイク５４、非常放送スピーカ５６、放送入力選択部５８、放送選択増幅部６０が設けられる。
【００７０】
放送音源部５２には感知器発報放送、火災放送、非火災放送、地震や盗難等の緊急放送、訓練放送等の放送メッセージ情報を記憶しており、非常放送制御部６４から指示を受けた放送メッセージ情報を読み出しアナログ放送信号に変換して出力する。
【００７１】
アナウンスマイク５４は図２に示したように受信機１０の盤面に設けており、必要に応じて防災管理者等が避難誘導などを指示する放送入力を行うことを可能とする。
【００７２】
放送入力選択部５８は放送音源部５２とアナウンスマイク５４を入力接続し、非常放送制御部６４の指示により何れか一方の放送入力を選択して放送選択増幅部６０に出力する。
【００７３】
放送選択増幅部６０は放送入力選択部５８から入力した放送信号を、非常放送制御部６４の指示により放送回線２６−１〜２６−ｎの中から選択した回線に出力してスピーカ２８から放送出力させる。また、放送選択増幅部６０にはパワーアンプを設けており、必要とするスピーカの音圧出力を可能とする。パワーアンプはスピーカ回線単位に設けても良いし、所定数のスピーカ回線をグループ化し、グループ単位に設けても良い。
【００７４】
（通常監視状態の画面）
図３は受信機のディスプレイに表示される通常監視画面を示した説明図である。図３に示すように、受信機１０の通常監視状態にあっては、ディスプレイ４２に通常監視画面８０が表示される。通常監視画面８０は、正常動作中表示８２に続いて、メニュー釦８４，８６，８８が表示され、「手順を学ぶ」、「操作する」、「情報を見る」のメニューが表示され、メニュー釦８４，８６，８８の何れかをタッチ操作すると、各メニューに対応した情報や操作場面が表示される。更に、通常監視画面８０には非常放送メニュー釦８９が表示される。
【００７５】
（感知器発報放送の設定画面）
図４は感知器発報放送の設定画面を示した説明図である。図３の通常監視画面８０で非常放送メニュー釦８９をタッチ操作すると、図４（Ａ）に示す非常放送メニュー部９０が開き、その中の感知器発報放送釦１７２をタッチ操作すると、感知器発報放送選択部１７４が表示される。なお、原稿作成釦１３８、シナリオ作成釦１４０及び各種設定釦１４２の詳細は後述する。
【００７６】
図４（Ａ）の感知器発報放送選択部１７４は、例えば本実施形態は８階建てのビルを監視対象としており、非常放送を各階の南地区と北地区に分けて行うようにしていたとすると、地区名となる１階南から８階北までの１６地区に分けて感知器発報放送階選択一覧１７６−１〜１７６−３が配置される。
【００７７】
感知器発報放送階選択一覧１７６−１〜１７６−３は図４（Ｂ）に取り出して示すように、地区名１１６、出火階選択スイッチ１８０及び放送階選択スイッチ１８２で構成されている。
【００７８】
例えば、図４（Ａ）の感知器発報放送階選択一覧１７６−１に示すように、出火階として「１階南」の出火階釦を選択操作した場合には、放送階選択釦として出火階の「１階南」、出火階と同じ「１階北」、直上階となる「２階南」の放送階選択釦を選択操作し、続いて、設定釦１７８を操作すると、出火階「１階南」に対応して感知器発報放送階として「１階南」、「１階北」、「２階南」が設定され、アナログ火災感知器１５の火災発報を受信した場合には、設定された放送階に対し自動的に感知器発報放送が行われる。
【００７９】
（感知器発報放送）
図５は感知器発報直後の火災監視画面と非常放送の感知器発報放送表示画面を示した説明図、図６は火災発生時の火災監視画面と非常放送画面を示した説明図である。
【００８０】
図１に示したアナログ火災感知器１４からの火災信号に基づき受信機１０の受信制御部６２で感知器発報を判断した火災発生時には、ディスプレイ４２に図５に示す火災警報画面９２が表示される。
【００８１】
火災警報画面９２は、図１の受信制御部６２の制御により、火災発生中表示９４に加え、火災発生地区表示部９６が表示され、火災発生地区表示部９６には第１報目を示す「火災１」として、火災発生地区が例えば「場所  ００−０３−０１４−０１  １棟  ３階  南１４地区  発生時刻  １２：０７：２５」として表示される。
【００８２】
このような火災警報表示に連動して図１の非常放送制御部６４は、感知器発報した火災発生地区にあらかじめ設定された感知器発報放送地区と感知器発報放送内容に基づき、図１の非常放送制御部６４は、放送選択増幅部６０に指示して「３階南」、「３階北」及び「４階南」に対する放送回線への放送出力を選択し、また、放送入力選択部５８に放送音源部５２からの放送入力の選択を指示し、この状態で放送音源部５２に記憶されている感知器発報放送の放送信号を出力させる制御を行い、その結果、「３階南」、「３階北」及び「４階南」に設置されたスピーカ２８から例えば「ただいま３階南地区の火災報知器が作動しました。確認しておりますので、次の放送にご注意ください。」とする感知発報放送が出力される。
【００８３】
また、図５（Ａ）の監視画面９２には、非常放送画面１８４が表示され、その中に感知器発報放送階一覧１８６−１〜１８６−３が表示され、これは図５（Ｂ）に示すように、地区名１１６、出火階表示灯１１８及び放送階表示灯１２０で構成されており、感知器発報放送階一覧１８６−１の斜線部に示すように、「３階南」の出火階表示灯が点灯し、また、「３階南」、「３階北」及び「４階南」の放送階表示灯が点灯し、感知器発報放送の放送状態を確認可能とする。
【００８４】
（火災放送）
図７は一覧構成による放送階選択画面を示した説明図、図８は建物立体図による放送階選択画面を示した説明図である。
【００８５】
図５の戻る釦１１５を押下すると表示される図６に示した火災警報画面９２による火災発生表示に対し、防災管理者は現場確認を行い、火災であった場合には、図２に示す受信器１０の火災断定スイッチ６６を操作し、これにより地区音響鳴動停止解除、連動制御、移報制御が行われる。
【００８６】
また、防災管理者は、火災警報画面９２と共に表示された非常放送画面９８の中の放送階選択釦１００をタッチ操作すると、図７（Ａ）に示す放送階選択部１１４が表示された火災警報画面９２に切り替わる。
【００８７】
図７（Ａ）の放送階選択部１１４は、図４の感知器発報放送選択一覧１７６−１〜１７６−３と同様に、地区名となる１階南から８階北までの１６地区に分けて放送階選択一覧１１４−１〜１１４−３が配置される。
【００８８】
放送階選択一覧１１４−１〜１１４−３は図７（Ｂ）に取り出して示すように、地区名１１６、出火階表示灯１１８、放送階表示灯１２０及び放送階選択スイッチ１２２の組で構成されている。
【００８９】
このとき火災発生地区表示部９６の表示は火災発生地区として「３階南」を示しており、また、放送階選択一覧１１４−１の中の地区名「３階南」に対応した出火階表示灯が例えば赤色に変化して点灯を示しており、これに基づき防災管理者は、地区名「３階南」に対応した放送階選択スイッチをタッチ操作する。地区名「３階南」の放送階選択スイッチをタッチ操作すると、その横の放送階表示灯が例えば青色に変化して点灯を示す。
【００９０】
また、防災管理者は、火災発生階と同じ「３階南」及び直上階となる「４階南」も放送地区とする必要があることから、それぞれの放送階選択スイッチをタッチ操作し、これにより対応する放送階表示灯が青色の点灯状態となる。
【００９１】
このような放送階選択操作が行われると、図１の非常放送制御部６４は、放送選択増幅部６０に指示して地区放送選択部１１４により選択された「３階南」、「３階北」及び「４階南」に対する放送回線への放送出力を選択し、また、放送入力選択部５８に放送音源部５２からの放送入力の選択を指示し、この状態で放送音源部５２に記憶されている感知器発報放送の放送信号を出力させる制御を行い、その結果、「３階南」、「３階北」及び「４階南」に設置されたスピーカ２８から例えば「火事です。火事です。３階南地区で火災が発生しました。落ち着いて避難してください。」とする火災放送が出力される。
【００９２】
図８は放送階選択部１１４の他の実施形態であり、放送階選択部１１４には、放送対象とする建物の立体建物図１２４−１，１２４−２が表示される。立体建物図１２４−１は１階から４階までのフロアマップであり、また立体建物図１２４−２は５階から８階までのフロアマップであり、各フロアマップは南と北に分割されて、それぞれ放送階選択スイッチ１２６を構成している。
【００９３】
また、放送階選択スイッチ１２６は、出火階表示灯又は放送階表示灯として機能し、出火階表示灯として作動する場合は表示色を例えば赤色とし、また、放送階表示灯として作動する場合は表示色を例えば青色とし、重複する場合は出火階表示灯としての赤色が優先表示される。または赤青の縞表示などとして、出火階かつ放送階であることを表示するようにしても良い。
【００９４】
このとき火災発生地区表示部９６の表示は火災発生地区として「３階南」を示しており、３階南のフロアマップが赤色となって出火階を表示していることから、防災管理者は「３階南」の放送階選択スイッチをタッチ操作することで火災発生階を放送地区に選択し、続いて出火階と同じ「３階北」及び直上階となる「４階南」の放送階選択スイッチをタッチ操作することで放送地区に選択し、これに伴い「３階北」と「４階南」の表示色が青色となって放送階であることを表示する。
【００９５】
このような放送階選択操作が行われると、図１の非常放送制御部６４は、放送音源部５２、放送入力選択部５８及び放送選択増幅部６０に指示し、「３階南」、「３階北」及び「４階南」に設置されたスピーカ２８から火災放送を出力する制御を行う。
【００９６】
また、放送階選択部１１４は直前の非常放送の放送地区に関する表示も行うようにしても良い。感知器発報放送が行われた後、火災断定による火災放送の放送地区を選択する際に、デフォルトの放送地区として感知器発報放送が行われた地区を自動選択されるものとしても良いし、直前の非常放送の放送地区として、次の非常放送の放送地区と区別して表示するようにしても良い。
【００９７】
なお、図４に示した感知器発報放送選択部１７４についても、図８に示す立体建物図１２４−１，１２４−２を用いた放送階選択を行うようにしても良い。
【００９８】
（非火災放送、一斉放送の制御）
図６に示した火災警報画面９２による火災発生表示に対し、防災管理者は現場確認を行い、火災でなかった場合には、火災警報画面９２と共に表示された非常放送画面９８の中の非火災放送スイッチ１１０をタッチ操作し、これに基づき図１の非常放送制御部６４は、放送音源部５２、放送入力選択部５８及び放送選択増幅部６０に指示し、「３階南」、「３階北」及び「４階南」に設置されたスピーカ２８から非火災放送として例えば「さきほどの火災感知器の作動は、確認の結果、異常がありませんでした。ご安心下さい。」を出力する制御を行う。
【００９９】
また、火災放送中に火災発生地区表示部９６に第２報目の火災発報による火災発生地区の表示が行われる等して火災が拡大したような場合、防災管理者は一斉放送スイッチ１１２をタッチ操作し、これに基づき図１の非常放送制御部６４は、放送音源部５２、放送入力選択部５８及び放送選択増幅部６０に指示し、全ての地区に設置されたスピーカ２８から火災放送を出力する制御を行う。
【０１００】
また、火災が鎮火して火災放送が必要なくなった場合には、防災管理者は放送復旧スイッチ１０８をタッチ操作し、これに基づき図１の非常放送制御部６４は、放送音源部５２、放送入力選択部５８及び放送選択増幅部６０に指示し、放送信号の出力を停止して復旧させる制御を行う。
【０１０１】
非常起動スイッチ１０２は、防災管理者がアナウンスマイク９８を使用して手動で非常放送を行う場合、又は、感知発報放送から火災放送に移行する場合に操作する。この場合、図７又は図８に示した放送地区の選択は不要であり、全地区を対象とした一斉放送が行われる。非常復旧スイッチ１０４は非常起動スイッチ１０２の操作で行った非常放送又は火災放送を復旧停止するために操作する。
【０１０２】
（放送内容の表示）
図９は放送内容を表示する非常放送画面を示した説明図である。図１に示した非常放送制御部６４は、火災発生に連動して感知器発報放送を行っているとき、図９（Ａ）に示すように、火災警報画面９２に放送内容表示部１２８を表示する制御を行う。放送内容表示部１２８には、放送内容１３０−１として現在放送中の放送内容となる放送文「ただいま３階南地区の・・・・・ください」が表示される。これにより受信機１０側の防災管理者等は、現在行われている非常放送の内容を簡単に確認することができる。
【０１０３】
図９（Ｂ）は火災の現場確認に基づき感知器発報放送に続いて行う火災放送の放送内容１３０−２を放送内容表示部１２８に表示した場合であり、また、図９（Ｃ）は現場確認により火災でなかったときに行う非火災放送の放送内容１３０−３を放送内容表示部１２８に表示した場合であり、同様に、防災管理者等は現在行われている放送内容を簡単に確認することができる。
【０１０４】
図１０は外国語非常放送の放送内容を表示する非常放送画面を示した説明図である。近年にあっては外国人も利用する施設が増えており、非常放送として日本語以外に、英語、中国語、韓国語といった外国語非常放送を行う場合がある。
【０１０５】
図１の受信機１０に設けた非常放送制御部６４は、非常放送として外国語放送も行う場合、図１０に示すように、火災警報画面９２の放送内容表示部１２８に、現在放送中の例えば英語で行っている火災放送の内容を外国語放送内容１３２に英文で表示すると共に、訳文放送内容１３４に外国語放送（英文放送）の訳文を表示する制御を行う。
【０１０６】
これにより外国語で非常放送が行われているときに、外国語放送の原文と訳文がディスプレイ４２上に表示されることで、受信機１０側にいる防災管理者等はどのような内容の非常放送が行われているかを簡単且つ容易に確認できる。
【０１０７】
上記の放送内容の表示は感知器発報放送階一覧１８６−１〜１８６−３に代表される火災発生場所と放送場所を表示する表示内容と同一の画面上で表示されるようにしても良いし、操作により切り替えて表示させるようにしても良い。
【０１０８】
［非常放送の支援機能］
（非常放送原稿の作成機能）
図１１は非常用アナウンス放送の原稿を作成して設定する非常放送画面を示した説明図である。図１１に示すように、ディスプレイ４２に表示される通常監視画面８０における非常放送メニュー部９０には、非常放送支援部として機能する、感知器発報放送設定釦１７２、原稿作成釦１３８、シナリオ作成釦１４０及び各種設定釦１４２が配置される。図１１は原稿作成釦１３８をタッチ操作した場合であり、非常放送メニュー部９０の下に、非常放送原稿作成部１４４が表示される。
【０１０９】
非常放送原稿作成部１４４には、アナウンス番号１４６、放送文１４８、アナウンス条件１５０、保存釦１５２、英文字キーボード１５４、テンキー１５６が設けられる。
【０１１０】
非常放送原稿作成部１４４は、図１の受信機１０に設けた非常放送制御部６４により制御され、防災管理者等は、特定の場所で火災が発生した場合にアナウンスマイク５４を使用して行うアナウンス非常放送のための放送原稿を、英文字キーボード１５４のローマ字入力とテンキー１５６の数字入力により、放送文１４８に示すように、例えば「火事です。火事です。１階機械室で火災が発生しました。１階の方は南側非常口から、２階の方は２階非常階段から、落ち着いて避難してください。」を作成する。
【０１１１】
また、アナウンス条件１５０としては、火災発生場所として、原稿文１４８の内容に対応して「火災発生  １階  機械室」を設定する。この状態で保存釦１５２をタッチ操作すると、非常放送制御部６４は、非常放送原稿作成部１４４に生成したアナウンス番号「００１」、原稿文１４８の内容、アナウンス条件１５０として設定した「火災発生  １階  機械室」からなる情報をメモリに記憶する。
【０１１２】
非常放送制御部６４は、火災発生時に火災発生場所「１階  機械室」を判別すると、記憶した放送原稿を自動的にディスプレイ４２の非常放送画面領域に表示し、この放送原稿の表示を見ながら防災管理者等はアナウンスマイク５４を使用してアナウンス非常放送を行う。
【０１１３】
これにより防災管理者等は、アナウンス条件１５０として設定した火災発生時に、予め準備されたアナウンス原稿が受信機１０のディスプレイ４２に表示されることで、火災発生という緊迫した状況であっても、表示されたアナウンス原稿に従って適切なアナウンス非常放送を行うことができる。
【０１１４】
（非常放送シナリオの作成機能）
図１２は非常放送シナリオを作成して設定する非常放送した説明図である。図１１に示す非常放送メニュー部９０の中のシナリオ作成釦１４０をタッチ操作すると、非常放送メニュー部９０の下に、非常放送シナリオ作成部１５８が表示される。
【０１１５】
非常放送シナリオ作成部１５８には、シナリオ番号１６０、放送シナリオ１６２、シナリオ条件１６４、保存釦１５２、英文字キーボード１５４、テンキー１５６が設けられる。
【０１１６】
非常放送シナリオ作成部１５８は、図１の受信機１０に設けた非常放送制御部６４により制御され、防災管理者等は、特定の場所で火災が発生した場合の放送シナリオを、英文字キーボード１５４のローマ字入力とテンキー１５６の数値入力により、放送シナリオ１６２の項番１〜４に示すように、例えば「６階南地区で火災断定」、「６階、７階に非常放送」、「全階の南地区に非常放送」、「棟全体に非常放送」を作成する。
【０１１７】
また、シナリオ条件１６４としては、放送シナリオ１６２の内容に対応して「火災発生  ６階南地区」を設定する。この状態で保存釦１５２をタッチ操作すると、非常放送制御部６４は、非常放送シナリオ作成部１５８で生成したシナリオ番号「００１」、放送シナリオ１６２の内容、シナリオ条件１６４として設定した「火災発生  ６階南地区」からなる情報をメモリに記憶する。
【０１１８】
非常放送制御部６４は、火災発生時に火災発生場所「６階  南地区」を判別すると、記憶した放送シナリオを自動的にディスプレイ４２の非常放送画面領域に表示する。このため、火災発生時に、火災発生地区に対応して予め準備された放送シナリオが受信機のディスプレイ４２上に画面表示されるので、防災管理者等は、表示された放送シナリオに従って適切な順番に非常放送を行うことができる。
【０１１９】
（アナウンス放送の繰り返し設定）
図１３は非常放送アナウンスの繰り返しを設定する非常放送画面を示した説明図である。図１３に示す非常放送メニュー部９０の中の各種設定釦１４２をタッチ操作すると、非常放送メニュー部９０の下に、アナウンス放送設定部１６５が表示される。
【０１２０】
アナウンス放送設定部１６５には、アナウンス放送繰り返し設定部１６６と地区音響警報挟み込み設定部１６８が配置され、それぞれに対応してＯＮ釦とＯＦＦ釦が設けられる。
【０１２１】
アナウンス放送は、防災管理者がアナウンスマイク５４を使用して行うものであり、１回しか放送できないが、本実施形態にあっては、一度行ったアナウンス放送を記憶し、必要に応じてアナウンス放送を繰り返すことを可能とする。
【０１２２】
アナウンス放送を繰り返したい場合には、アナウンス放送繰り返し設定部１６６のＯＮ釦をタッチ操作すると、アナウンス放送を繰り返す動作モードが設定される。これにより非常放送制御部６４は、防災管理者等がアナウンスマイク５４を使用してアナウンス放送を行ったときに、このアナウンス放送を記憶した後に、所定の周期で繰り返し放送することができ、アナウンス放送の確実な聞き取りを可能とする。
【０１２３】
また、アナウンス放送を含む非常放送を行うとき、地区音響警報は停止されるが、地区音響挟み込み設定部１６８のＯＮ釦をタッチ操作することで、アナウンスマイク５４用いたアナウンス放送を記憶した後に、地区音響警報を挟んでアナウンス放送を繰り返す動作モードが設定される。
【０１２４】
これにより非常放送制御部６４は、防災管理者等がアナウンスマイク５４を使用してアナウンス放送を行ったときに、このアナウンス放送を記憶した後に、所定の周期でアナウンス放送と地区音響警報を交互に繰り返し出力することができ、防災設備の警報と非常放送設備の非常放送を組み合わせにより、火災発生の報知と避難誘導の指示等を効率良く行うことができる。
【０１２５】
［受信機盤面に非常放送操作部を設けた実施形態］
上記の実施形態は、図２に示すように、受信機１０に設けたディスプレイ４２に非常放送画面を表示して非常放送に必要な操作や各種の設定を行っているが、他の実施形態として、図２に示した受信機１０の盤面に、非常放送に必要な操作を行うハードスイッチや表示灯を備えた非常放送操作部を設ける。
【０１２６】
受信機盤面に設ける非常放送操作部は、図４の感知器発報放送設定画面１７４に示した設定スイッチ１７８、出火階選択スイッチ１８０、放送階選択スイッチ１８２、図６の非常放送画面９８に示した非常起動スイッチ１０２、非常復旧スイッチ１０４、火災放送スイッチ１０６、放送復旧スイッチ１０８、非火災放送スイッチ１１０及び一斉放送スイッチ１１２に相当するハードスイッチ、及び、図７の放送階選択部１１４に示した放送階選択一覧１１４−１〜１１４−３における地区名１１６、出火階表示灯１１８、放送階表示灯１２０及び放送階選択スイッチ１２２に相当する表示灯及びハードスイッチとする。
【０１２７】
このように受信機盤面にハードスイッチを用いた非常放送操作部を設けた場合には、受信機１０のディスプレイ４２による火災発生時の火災表示と画面操作を変更することなく、受信機盤面に設けたハードスイッチにより非常放送の操作や設定を行うことかできる。
【０１２８】
［本発明の変形例］
（非常放送設備）
また、本実施形態にあっては、受信機で放送中の内容を聞けるようにしても良い。例えば音響口５６ａから放送内容を音声出力する。
【０１２９】
また、放送内容をスピーカ２８側に記憶させておき、火災時等の放送時には受信機がコマンドで各スピーカ側に放送内容を指示することで放送するようにしても良い。
【０１３０】
また、受信機は防排煙設備等の各端末の状況を確認可能なものとし、非常放送を行うときも端末の状況を確認できるものとしても良い。
【０１３１】
また、非常放送シナリオは火災の推移や受信制御部及び非常放送制御部の操作状況等に応じて現時点で該当する項番の位置を報知するようにしても良い。例えば、図１０において、感知器発報段階ではシナリオ表示と共に項番１が強調表示され、複数個所の感知器発報や受信機での火災断定操作により火災断定が行われた場合は項番２−１が強調表示され、６階７階を含む火災放送等の非常放送が行われた場合は項番３が強調表示され、全階の南地区に非常放送が行われた場合は項番４が強調表示される。火災の推移や受信制御部及び非常放送制御部の操作状況等に応じて現時点で該当する項番の位置を報知するため、非常放送シナリオ作成時に各項番への移行条件をシナリオ条件として設定する。
【０１３２】
（放送制御部）
上記の実施形態は、放送制御部は非常放送制御部６４であるとしたが、非常放送以外の一般放送等を行うようにしても良い。
【０１３３】
（無線感知器）
上記の実施形態は、受信機１０から施設の警戒区域に引き出された信号回線に火災感知器１４を接続する通信形態を例にとっているが、火災感知器１４を無線式の火災感知器とし、受信機と火災感知器の通信の一部または全部を無線通信しても良い。
【０１３４】
（火災情報信号）
上記の実施形態は、アナログ火災感知器のセンサデータを含む応答信号を所定の火災情報信号としているが、所定の火災情報信号は中継器からの応答信号やオンオフ火災感知器の火災感知信号であっても良い。
【０１３５】
（入力装置）
また、入力装置はタッチパネルに限らず、マウスやキーボードなど適宜の入力装置によっても良いし、音声入力等によるものであっても良い。
【０１３６】
（Ｐ型受信機）
上記の実施形態は、Ｒ型の受信機からの信号回線を介してＲ型の火災感知器を接続した防災設備を例にとっているが、Ｐ型の受信機から引き出した感知器回線にアドレスを設定すると共に伝送機能を備えたアドレッサブル火災感知器を接続した防災設備についても、同様に、受信機の盤面に設けられたディスプレイに火災発生時に火災警報画面と非常放送画面を表示することで、専用の非常放送盤を別に設置する必要がなく、防災設備と非常放送設備の設置スペースが低減し、非常放送設備の操作に必要な火災表示や出火階表示等は受信機のディスプレイによる表示をそのまま利用することで重複した表示が不要となり、また、防災担当者等は受信機で非常放送の操作ができることから、火災発生という緊急時の火災対処と連携した非常放送の操作や対処を迅速且つ適切に行うことができ、高い操作性が確保されることになる。
【０１３７】
（自動放送機能）
また、上記の実施形態の非常放送制御部は、アナログ火災感知器に基づく火災発生時に、画面操作により放送地区を選択して感知器発報放送を行っているが、火災発生地区に基づき、自動的に火災発生階と直上階を選択して感知器発報放送を行うようにしても良い。また、非常放送制御部は、感知器発報放送中に火災を現場確認して非常放送を行った場合、所定時間が経過したときに一斉放送に切り替えるようにしても良い。
【０１３８】
（その他）
また、本発明はその目的と利点を損なうことのない適宜の変形を含み、更に上記の実施形態に示した数値による限定は受けない。
【符号の説明】
【０１３９】
１０：受信機
１２，１２−１〜１２−３：信号回線
１４：アナログ火災感知器
１６：中継器
１７：感知器回線
１８：オンオフ火災感知器
２０：発信機
２２：アドレッサブル発信機
２４：防排煙機器
２６−１〜２６−ｎ：放送回線
２８：スピーカ
３０：メインＣＰＵ
３２−１〜３２−３：サブＣＰＵ基板
３４−１〜３４−３：サブＣＰＵ
３６−１〜３６−３：伝送部
４０：シリアル転送バス
４２：ディスプレイ
４４：表示部
４６：操作部
４８：音響警報部
５０：移報部
５２：放送音源部
５４：アナウンスマイク
５６：非常放送スピーカ
５８：放送入力選択部
６０：放送選択増幅部
６２：受信制御部
６４：非常放送制御部
６５：ガイドスイッチ
６６：火災断定スイッチ
６８：主音響停止スイッチ
７０：地区音響一時停止スイッチ
７４：プリンタ
７５：火災代表灯
７６：ガス漏れ代表灯
７７：音響孔
７８：電話マイク
８０：通常監視画面
８２：正常動作中表示
８４，８６，８８：メニュー釦
８９：非常放送メニュー釦
９０：非常放送メニュー部
９４：火災発生表示
９６：火災発生地区表示部
９８：非常放送画面
１００：放送階選択釦
１０２：非常起動スイッチ
１０４：非常復旧スイッチ
１０６：火災放送スイッチ
１０８：放送復旧スイッチ
１１０：非火災放送スイッチ
１１２：一斉放送スイッチ
１１４：放送階選択部
１１４−１〜１１４−３：放送階選択一覧
１１６：地区名
１１８：出火階表示灯
１２０：放送階表示灯
１２２：放送階選択スイッチ
１２４−１，１２４−２：立体建物図
１２６：放送階選択釦
１２８：放送内容表示部
１３０−１〜１３０−３：放送内容
１３２：外国語放送内容
１３４：訳文放送内容
１３８：原稿作成釦
１４０：シナリオ作成釦
１４２：各種設定釦
１４４：非常放送原稿作成部
１４６：アナウンス番号
１４８：放送文
１５０：アナウンス条件
１５２：保存釦
１５４：英文字キーボード
１５６：テンキー
１５８：非常放送シナリオ作成部
１６０：シナリオ番号
１６２：放送シナリオ
１６４：シナリオ条件
１６５：アナウンス放送設定部
１６６：アナウンス放送繰り返し設定部
１６８：地区音響警報挟み込み設定部
１７４：感知器発報放送設定釦
１７６−１〜１７６−３：感知器発報放送階選択部
１７８：設定釦
１８０：出火階選択スイッチ
１８２：放送階選択スイッチ
【図１】
2020135692.tif 000003
【図２】
2020135692.tif 000004
【図３】
2020135692.tif 000005
【図４】
2020135692.tif 000006
【図５】
2020135692.tif 000007
【図６】
2020135692.tif 000008
【図７】
2020135692.tif 000009
【図８】
2020135692.tif 000010
【図９】
2020135692.tif 000011
【図１０】
2020135692.tif 000012
【図１１】
2020135692.tif 000013
【図１２】
2020135692.tif 000014
【図１３】
2020135692.tif 000015